(57)【特許請求の範囲】
【請求項１】
紙幣が投入される入金口と、
前記投入された紙幣の種類を識別する第１識別部と、
前記第１識別部による識別結果に基づいて、少なくとも２種類の紙幣を収納すると共に、収納した紙幣を出力する第１収納部と、
前記第１識別部による識別結果に基づいて、前記第１収納部に収納した紙幣の種類以外の種類の紙幣を種類に応じて収納すると共に、収納した紙幣を出力する複数の第２収納部と、
前記第１及び第２収納部の前段にあって、前記第１識別部により識別された紙幣を一時的に保留する、該第１及び第２収納部のそれぞれに対応する複数の一時保留部と、
前記第１収納部から出力された紙幣のそれぞれの種類を識別する第２識別部と、
前記第２識別部により識別された紙幣を種類別に、前記第２収納部に対応する各前記一時保留部へ振り分け、該振り分けた紙幣を、種類に応じた順で、種類毎に前記第１収納部へ収納させる制御を行うことにより、種類別集積・積替え処理を行う制御部と、
を備えることを特徴とする紙幣処理装置。
【請求項２】
前記第１収納部は、該第１収納部に収納された全ての紙幣を前記第２識別部へ出力する
ことを特徴とする請求項１に記載の紙幣処理装置。
【請求項３】
前記第１収納部は、前記種類別集積・積替え処理がされないで前記第１収納部に収納された異なる金種が混合した紙幣の層を前記第２識別部へ出力する
ことを特徴とする請求項１に記載の紙幣処理装置。
【請求項４】
前記第１収納部は、二千円券と五千円券を収納し、
前記制御部は、前記第２識別部による識別結果、前記紙幣が二千円券と識別された場合、第１の一時保留部へ該紙幣を振り分け、前記紙幣が五千円券と識別された場合、第２の一時保留部へ該紙幣を振り分け、該二千円券として振り分けた紙幣を前記第１の一時保留部から前記第１収納部へ収納した後に、該五千円券として振り分けた紙幣を前記第２の一時保留部から前記第１収納部へ収納する
ことを特徴とする請求項１〜３のうちいずれか１項に記載の紙幣処理装置。
【請求項５】
前記第２識別部は、前記第１識別部により行われる識別の内、金種を特定する１つ以上の識別を行う
ことを特徴とする請求項４に記載の紙幣処理装置。
【請求項６】
第１識別部は、入金口に投入された紙幣の種類を識別し、
第１収納部は、前記第１識別部による識別結果に基づいて、少なくとも２種類の紙幣を収納すると共に、収納した紙幣を出力し、
第２識別部は、前記第１収納部から出力された紙幣のそれぞれの種類を識別し、
制御部は、前記第１収納部に収納した紙幣の種類以外の種類の紙幣を種類に応じて収納する複数の第２収納部のそれぞれの前段にあって前記第２識別部により識別された紙幣を種類別に一時的に保留する一時保留部へ振り分け、
前記振り分けた紙幣を、種類に応じた順で、種類毎に前記第１収納部へ収納させる制御を行うことにより、種類別集積・積替え処理を行う
ことを特徴とする紙幣処理装置の動作方法。
【請求項７】
前記第１収納部は、該第１収納部に収納された全ての紙幣を前記第２識別部へ出力する
ことを特徴とする請求項６に記載の紙幣処理装置の動作方法。
【請求項８】
前記第１収納部は、前記種類別集積・積替え処理がされないで前記第１収納部に収納された異なる金種が混合した紙幣の層を前記第２識別部へ出力する
ことを特徴とする請求項６に記載の紙幣処理装置の動作方法。
【請求項９】
前記第１収納部には、二千円券と五千円券が収納され、
前記制御部は、前記第２識別部による識別結果、前記紙幣が二千円券と識別された場合、第１の一時保留部へ該紙幣を振り分け、前記紙幣が五千円券と識別された場合、第２の一時保留部へ該紙幣を振り分け、該二千円券として振り分けた紙幣を前記第１の一時保留部から前記第１収納部へ収納した後に、該五千円券として振り分けた紙幣を前記第２の一時保留部から前記第１収納部へ収納する
ことを特徴とする請求項６〜８のうちいずれか１項に記載の紙幣処理装置の動作方法。
【請求項１０】
前記第２識別部は、前記第１識別部により行われる識別の内、金種を特定する１つ以上の識別を行う
ことを特徴とする請求項９に記載の紙幣処理装置の動作方法。
【発明の詳細な説明】
【技術分野】
【０００１】
本発明は、紙幣の収納及び管理を行う紙幣処理装置に関する。
【背景技術】
【０００２】
銀行等の金融機関の窓口で、係員が使用する窓口現金機等の紙幣処理装置がある。この紙幣処理装置は、銀行で取り扱う大量の紙幣を入金可能とするものである。このような紙幣処理装置は、通常、取扱う金種の数だけ専用の収納部（スタッカ）を備えている。したがって、金種が増えるにつれて、スタッカの数が増え、その分、紙幣処理装置が大型化する問題があった。また、紙幣処理装置の大型化に伴い製造コストも大きくなる傾向があった。そのような問題に対応するため、次の技術が開示されている。【０００３】
特許文献１では、補充回収庫が紙幣の補充および回収時に使用する収納庫を兼用し、循環式金種混合収納庫が複数金種の収納庫を兼用する紙幣処理装置が開示されている。
特許文献２では、金種別の収納部から運用収納部に１つの金種の紙幣を一時的に退避させ、その金種に対応する収納部側の受入れ態勢が整った後に、その退避させた金種の紙幣を再び元に戻す紙幣処理装置が開示されている。【０００４】
特許文献３では、紙幣収納部に対応する金種以外の特定金種の紙幣を受け入れ、紙幣収納部のうち、特定金種の整数倍である金種に対応する紙幣収納部に特定金種の紙幣を収納し、特定金種の紙幣を収納した紙幣収納部に対応する金種について出金要求があった場合に、特定金種の紙幣を所定枚数だけ放出する紙幣処理装置が開示されている。【０００５】
特許文献４では、投入された紙幣の金種を判別し、特定の金種であることが判別された少なくとも２金種以上の特定紙幣を混在させて収容し、収容される特定紙幣の金種をその収容順に関連付けて記憶する紙幣処理装置が開示されている。【０００６】
特許文献５には、出金リジェクト庫を金種別に収納するスタッカにそれぞれ対応して設けた紙幣処理装置が開示されている。
【先行技術文献】
【特許文献】
【０００７】
【特許文献１】特開２００１−３５７４３０号公報
【特許文献２】特開２００２−０３２８３１号公報
【特許文献３】特開２００２−２４５５１６号公報
【特許文献４】特開２００３−２４８８５４号公報
【特許文献５】特開２００７−１３３６４１号公報
【発明の概要】
【発明が解決しようとする課題】
【０００８】
上述の通り、紙幣処理装置は、金種毎の収納部を有しているので、金種の増加に応じて機器サイズが大きくなり、機器の製造コストも大きくなる傾向にあった。
そこで、紙幣の流通量を勘案して、流通量の少ない金種同士を１つのスタッカ（紙幣収納部）に収納する方法が考えられる。例えば、万円券、千円券に比べて、二千円券、五千円券の流通量は少ないので、二千円券、五千円券を１つのスタッカに収納することが考えられる。【０００９】
しかしながら、二千円券に比較して、五千円券の出金の頻度は高いので、そのように二千円券、五千円券を１つのスタッカに収納した場合において、五千円券を出金する際には、そのスタッカから五千円券が出てくるまで収納した紙幣を繰り出す必要がある。その場合、繰り出した二千円券はリジェクトとして扱われ、スタッカの容量を超えた場合に使用される紙幣カセット（予備収納部）へ収納されることになる。その結果、カセットの容量が不足し、本来カセットを使用するべき状況においてカセットを使用することができないという事態が生ずる。【００１０】
上記課題に鑑み、本発明は、装置の小型化及び低コスト化を図ると共に、所定の種類の紙幣の入金枚数が紙幣収納部の容量を超えた場合に使用される予備収納部の容量が不足する事態が生じない紙幣処理装置を提供する。
【課題を解決するための手段】
【００１１】
本発明にかかる紙幣処理装置は、紙幣が投入される入金口と、前記投入された紙幣の種類を識別する第１識別部と、前記第１識別部による識別結果に基づいて、少なくとも２種類の紙幣を収納すると共に、収納した紙幣を出力する第１収納部と、前記第１識別部による識別結果に基づいて、前記第１収納部に収納した紙幣の種類以外の種類の紙幣を種類に応じて収納すると共に、収納した紙幣を出力する複数の第２収納部と、前記第１及び第２収納部の前段にあって、前記第１識別部により識別された紙幣を一時的に保留する、該第１及び第２収納部のそれぞれに対応する複数の一時保留部と、前記第１収納部から出力された紙幣のそれぞれの種類を識別する第２識別部と、前記第２識別部により識別された紙幣を種類別に、前記第２収納部に対応する各前記一時保留部へ振り分け、該振り分けた紙幣を、種類に応じた順で、種類毎に前記第１収納部へ収納させる制御を行うことにより、種類別集積・積替え処理を行う制御部と、を備える。【００１２】
また、前記紙幣処理装置によれば、前記第１収納部は、該第１収納部に収納された全ての紙幣を前記第２識別部へ出力するように、前記第１収納部を制御する。
また、前記紙幣処理装置によれば、前記第１収納部は、前記種類別集積・積替え処理がされないで前記第１収納部に収納された異なる金種が混合した紙幣の層を前記第２識別部へ出力する。
【００１３】
また、前記紙幣処理装置によれば、前記第１収納部は、二千円券と五千円券を収納し、前記制御部は、前記第２識別部による識別結果、前記紙幣が二千円券と識別された場合、第１の一時保留部へ該紙幣を振り分け、前記紙幣が五千円券と識別された場合、第２の一時保留部へ該紙幣を振り分け、該二千円券として振り分けた紙幣を前記第１の一時保留部から前記第１収納部へ収納した後に、該五千円券として振り分けた紙幣を前記第２の一時保留部から前記第１収納部へ収納する。
また、前記紙幣処理装置によれば、前記第２識別部は、前記第１識別部により行われる識別の内、金種を特定する１つ以上の識別を行う。【００１４】
本発明にかかる紙幣処理装置の動作方法において、第１識別部は、入金口に投入された紙幣の種類を識別し、第１収納部は、前記第１識別部による識別結果に基づいて、少なくとも２種類の紙幣を収納すると共に、収納した紙幣を出力し、第２識別部は、前記第１収納部から出力された紙幣のそれぞれの種類を識別し、制御部は、前記第１収納部に収納した紙幣の種類以外の種類の紙幣を種類に応じて収納する複数の第２収納部のそれぞれの前段にあって前記第２識別部により識別された紙幣を種類別に一時的に保留する一時保留部へ振り分け、前記振り分けた紙幣を、種類に応じた順で、種類毎に前記第１収納部へ収納させる制御を行うことにより、種類別集積・積替え処理を行う。
【００１５】
前記紙幣処理装置の動作方法によれば、前記第１収納部は、該第１収納部に収納された全ての紙幣を前記第２識別部へ出力する。
前記紙幣処理装置の動作方法によれば、前記第１収納部は、前記種類別集積・積替え処理がされないで前記第１収納部に収納された異なる金種が混合した紙幣の層を前記第２識別部へ出力する。
【００１６】
前記紙幣処理装置の動作方法によれば、前記第１収納部には、二千円券と五千円券が収納され、前記制御部は、前記第２識別部による識別結果、前記紙幣が二千円券と識別された場合、第１の一時保留部へ該紙幣を振り分け、前記紙幣が五千円券と識別された場合、第２の一時保留部へ該紙幣を振り分け、該二千円券として振り分けた紙幣を前記第１の一時保留部から前記第１収納部へ収納した後に、該五千円券として振り分けた紙幣を前記第２の一時保留部から前記第１収納部へ収納する。【００１７】
また、前記紙幣処理装置の動作方法によれば、前記第２識別部は、前記第１識別部により行われる識別の内、金種を特定する１つ以上の識別を行う。
【発明の効果】
【００１８】
本発明によれば、装置の小型化及び低コスト化を図ることができると共に、所定の種類の紙幣の入金枚数が紙幣収納部の容量を超えた場合に使用される予備収納部の容量が不足する事態を回避することができる。
【図面の簡単な説明】
【００１９】
【図１】本実施形態における入出金処理装置のうちの紙幣処理機構の構成概要を示す。
【図２】本実施形態における入出金処理装置の紙幣処理機構の入金時の動作を示す。
【図３】本実施形態における入出金処理装置の紙幣出金機構の出金時の動作を示す。
【図４】本実施形態における紙幣処理機構内部の制御系統を示す。
【図５】（ｉ）入金前のスタッカの状態、（ii）入金収納完了後のスタッカの状態を示す。
【図６】本実施形態（実施例１）における紙幣種類別集積・積替え処理を説明するための図である。
【図７Ａ】本実施形態（実施例１）における主制御部２１による混合スタッカについての種類別集積・積替え処理フロー（その１）を示す。
【図７Ｂ】本実施形態（実施例１）における主制御部２１による混合スタッカについての種類別集積・積替え処理フロー（その２）を示す。
【図８】本実施形態（実施例２）における紙幣種類別集積・積替え処理を説明するための図である。
【図９】本実施形態（実施例２）における主制御部２１による混合スタッカについての種類別集積・積替え処理フローを示す。
【発明を実施するための形態】
【００２０】
図１は、本実施形態における入出金処理装置のうちの紙幣処理機構の構成概要を示す。図２は、本実施形態における入出金処理装置の紙幣処理機構の入金時の動作を示す。図３は、本実施形態における入出金処理装置の紙幣出金機構の出金時の動作を示す。
【００２１】
入出金処理装置１は、紙幣及び硬貨を収納すると共に、投入金と出金の計数及び管理を行う。以下では、入出金処理装置のうちの紙幣処理機構に関する機能について説明し、硬貨処理機構についての説明を省略する。
【００２２】
入出金処理装置１の紙幣処理機構は、少なくとも入金口２、出金口３、リジェクトボックス４、第１識別部５、第２識別部６、一時保留部Ａ（７）、一時保留部Ｂ（８）、一時保留部Ｃ（９）、スタッカＡ（１０）、スタッカＢ（１１）、スタッカＣ（１２）、カセット１３、搬送路１４を備える。
【００２３】
入金口２にセットされた紙幣は、搬送路１４を通って第１識別部５に搬送される。第１識別部５は、搬送路１４を搬送中の紙幣の真偽、金種、正損および重送を識別して計数を行う。第１識別部５で受け入れ不可紙幣と識別された、真紙幣以外の紙幣（リジェクト紙幣）は、出金口３より排出される。図２（Ａ）に示すように、第１識別部５により金種が判定された紙幣は、搬送路１４を通って、その金種に応じていずれかの一時保留部Ａ（７），Ｂ（８），Ｃ（９）に搬送される。
【００２４】
一時保留部Ａ（７）は、例えば第１識別部５により万円券と判定された紙幣を一時的に保留する。一時保留部Ｂ（８）は、例えば第１識別部５により千円券と判定された紙幣を一時的に保留する。一時保留部Ｃ（９）は、例えば第１識別部５により二千円券または五千円券と判定された紙幣を一時的に保留する。
【００２５】
一時保留部Ａ（７），Ｂ（８），Ｃ（９）の下方には、一時保留部Ａ（７），Ｂ（８），Ｃ（９）のそれぞれに対応するスタッカＡ（１０），Ｂ（１１），Ｃ（１２）が設けられている。スタッカＡ（１０）は、一時保留部Ａ（７）に保留された紙幣、例えば万円券を収納する。スタッカＢ（１１）は、一時保留部Ｂ（８）に保留された紙幣、例えば千円券を収納する。スタッカＣ（１２）は、一時保留部Ｃ（９）に保留された紙幣、例えば二千円券と五千円券とを収納する。このように、スタッカＣ（１２）は、例えば二千円券と五千円券という異なる金種を混合して格納する混合スタッカである。
【００２６】
なお、一時保留部Ａ（７），Ｂ（８），Ｃ（９）はそれぞれ、スタッカＡ（１０），Ｂ（１１），Ｃ（１２）の一部に設けられた所定の空間であってもよい。この場合、入金収納処理が完了するまでは、一時保留部に保留された紙幣と、既にスタッカに収納された紙幣とが物理的に分離するように、一時保留部とスタッカとが構成されている。
【００２７】
図２（Ｂ）に示すように、一時保留部Ａ（７），Ｂ（８），Ｃ（９）で一時的に保留された紙幣は、投入された紙幣の入金額確定後、一時保留部Ａ（７），Ｂ（８），Ｃ（９）のそれぞれに対応するスタッカＡ（１０），Ｂ（１１），Ｃ（１２）に収納される。
【００２８】
カセット１３は、大量入金の場合に一時的に紙幣を収納したり、スタッカＡ（１０），Ｂ（１１），Ｃ（１２）の容量を超えた紙幣（オーバーフロー紙幣）を収納したり、第１識別部５により破損していると判定された紙幣（損券）を収納する。なお、カセット１３にもこれに対応する一時保留部があるが、本実施形態ではその説明を省略する。
【００２９】
第２識別部６は、スタッカＣ（１２）により繰り出された紙幣の金種を判定する。また、入出金処理装置１はさらに表裏反転部（不図示）を備える。表裏反転部は、紙幣の表裏を揃える。
【００３０】
また、図３に示すように、表示／入力部（不図示）または上位コンピュータにより出金指示がされた場合に、各スタッカＡ（１０），Ｂ（１１），Ｃ（１２）に収納されていた紙幣は、搬送路１４を通って出金口３から排出される。また、入金された紙幣がリジェクトされた場合にも出金口３からそのリジェクト紙幣が排出される。リジェクトボックス４には、リジェクト紙幣が収納される。
【００３１】
図４は、本実施形態における紙幣処理機構内部の制御系統を示す。制御系統には、主制御部２１、第１識別部５、第２識別部６、スタッカＡ（１０）、スタッカＢ（１１）、スタッカＣ（１２）、カセット１３、搬送路切替／監視部２２、通信部２３、表示／入力部２４が含まれる。これらのユニットは、バス２５を介して主制御部２１と通信することができる。
【００３２】
主制御部２１は、中央処理装置（ＣＰＵ）やプログラマブルなデバイスであり、入出金処理装置の紙幣出金機構を構成する各ユニットを制御したり、現金在高を計算して保持する。
【００３３】
第１識別部５は、搬送路１４を搬送中の紙幣の真偽、金種、正損および重送を識別して投入された紙幣についての金種毎の金額及び投入金額の計数を行う。
第２識別部６は、スタッカＣ（１２）から繰出された紙幣の金種（例えば、紙幣の大きさのみ識別）の判定を行う。具体的には、第２識別部６は、第１識別部６により行われる識別の内、金種を特定する１つ以上の識別を行う。
【００３４】
スタッカＡ（１０）、スタッカＢ（１１）、スタッカＣ（１２）はそれぞれ、主制御部２１の制御に基づいて、一時保留部Ａ（７），Ｂ（８），Ｃ（９）に保留された紙幣をスタッカ内に収納することができる。また、スタッカＡ（１０）、スタッカＢ（１１）、スタッカＣ（１２）、カセット１３はそれぞれ、主制御部２１の制御に基づいて、収納した紙幣を繰り出すこともできる。
【００３５】
搬送路切替／監視部２２は、主制御部２１の制御により、搬送路１４の経路を切り替えて紙幣を搬送し、搬送状態を追跡し、目的のユニットへ紙幣を搬送する。通信部２３は、通信ネットワークを介して上位機と通信を行う。表示／入力部２４は、例えば入金／出金を行うために表示されるメニューに対して、入金／出金操作を行うタッチパネルである。
【００３６】
次に、図５及び図６を用いて、本実施形態にかかる混合スタッカに収納された紙幣種類別集積・積替え処理を説明する。
図５は、（ｉ）入金前のスタッカの状態、（ii）入金収納完了後のスタッカの状態を示す。図５（ｉ）において、スタッカＡ（１０）、Ｂ（１１）にはそれぞれ、万円券、千円券が収納されている。スタッカＣ（１２）には、５千円券が収納されている。
【００３７】
次に、複数のニ千円券及び複数の五千円券が混合された紙幣が入出金処理装置１へ投入されたとする。入金された紙幣は、第１識別部５により金種が識別される。それらの紙幣の金種はニ千円と五千円券であるので、その紙幣は、一時保留部Ｃ（９）へ搬送される。入金収納完了後、一時保留部Ｃ（９）により保留された、ニ千円と五千円券とが混合している紙幣は、スタッカＣ（１２）へ収納される。すると、その紙幣は、スタッカＣ（１２）において予め集積された五千円券の上に、集積される。
【００３８】
次に、主制御部２１は、紙幣種類別集積・積替え処理を行う。本実施形態では、紙幣種類別集積・積替え処理として以下の実施例１及び実施例２を用いて２つの方法を例示する。
【００３９】
（実施例１）
図６は、本実施形態（実施例１）における紙幣種類別集積・積替え処理を説明するための図である。主制御部２１は、図６（iii −１）に示すように、スタッカＣ（１２）に収納されている全ての紙幣を、金種に応じて一時保留部Ａ（７），Ｂ（８）に振り分ける処理を行う。具体的には、スタッカＣ（１２）は、主制御部２１の制御により、ニ千円と五千円券とが混合している紙幣（上層部分の紙幣）及び下層の五千円券を、その内部から繰り出す。スタッカＣ（１２）より繰り出された紙幣は、搬送路切替／監視部２２によって第２識別部６へ搬送される。
【００４０】
第２識別部６は、スタッカＣ（１２）から繰り出された紙幣の金種を判定する。第２識別部６による判定の結果、金種が二千円券の場合には、主制御部２１は、例えば図６（ｉｉｉ−１）に示すように、その紙幣を一時保留部Ａ（７）へ振り分ける。第２識別部６による判定の結果、金種が五千円券の場合には、搬送路切替／監視部２２は、主制御部２１の制御に基づいて、例えば図５Ｂ（iii −１）に示すように、その紙幣を一時保留部Ｂ（８）へ振り分けるように、搬送路１４を切り替える。それから、搬送路切替／監視部２２はその紙幣を一時保留部Ｂ（８）へ搬送する。
【００４１】
一時保留部Ａ（７），Ｂ（８）への振り分け後、主制御部２１は、図６（iv−１）に示すように、その振り分けた紙幣を、二千円券、五千円の順でスタッカＣ（１２）に戻す処理を行う。すなわち、主制御部２１の制御により、搬送路切替／監視部２２は、二千円券をスタッカＣ（１２）へ戻した後に搬送路１４を切り替え、五千円券をスタッカＣ（１２）へ戻す。これにより、スタッカＣ（１２）において、出金用の五千円券の層が二千円券の層の上に集積される。
【００４２】
図７Ａ及び図７Ｂは、本実施形態（実施例１）における主制御部２１による混合スタッカについての種類別集積・積替え処理フローを示す。入金口２より紙幣が投入されているとする。第１識別部５は、入金口２より投入された紙幣の真偽、金種、正損および重送を識別して計数を行う。第１識別部５は、識別結果及び計数結果を主制御部２１に伝達する。主制御部２１は、その識別結果に基づいて、搬送路切替／監視部２２を制御する。搬送路切替／監視部２２は、主制御部２１の制御により、第１識別部５により識別された紙幣の金種に応じて、搬送路１４を切り替え、その紙幣をいずれかの一時保留部Ａ（７），Ｂ（８），Ｃ（９）に搬送する。
【００４３】
識別された紙幣の金種が例えば万円券である場合、主制御部２１は、その紙幣を一時保留部Ａ（７）へ搬送するように、搬送路切替／監視部２２を制御する。識別された紙幣の金種が例えば千円券である場合、主制御部２１は、その紙幣を一時保留部Ｂ（８）へ搬送するように、搬送路切替／監視部２２を制御する。識別された紙幣の金種が例えば二千円券または五千円券である場合、主制御部２１は、その紙幣を一時保留部Ｃ（９）へ搬送するように、搬送路切替／監視部２２を制御する。
【００４４】
投入された紙幣の入金額が確定すると、主制御部２１は、一時保留部Ａ（７），Ｂ（８），Ｃ（９）に保留されている紙幣を、各スタッカＡ（１０），Ｂ（１１），Ｃ（１２）に収納するように、各スタッカＡ（１０），Ｂ（１１），Ｃ（１２）の動作を制御する。これにより入金収納処理が完了する（Ｓ１で「Ｙｅｓ」）。
【００４５】
入金収納処理完了後、投入された紙幣に二千円券がない場合、本フローは終了する（Ｓ２で「Ｎｏ」）。投入された紙幣に二千円券がある場合（Ｓ２で「Ｙｅｓ」）、主制御部２１はスタッカＣ（１２）が空か否かを判定する（Ｓ３）。主制御部２１は、第１識別部５による判別結果から、各スタッカ内に収納されている紙幣の枚数を計測しているので、その計測結果からスタッカＣ（１２）が空か否かを判定することができる。Ｓ２において識別された紙幣に二千円券があるので、初回の処理ではスタッカＣは空ではない（Ｓ３で「Ｎｏ」）。
【００４６】
スタッカＣ（１２）が空でない場合、主制御部２１は、一時保留部Ａ（７），Ｂ（８）に紙幣が満タンに保留されているか否かを判定する（Ｓ４）。主制御部２１は、第１識別部５による判別結果から、各一時保留部内に保留されている紙幣の枚数を計測しているので、その計測結果から一時保留部Ａ（７），Ｂ（８）に紙幣が満タンに保留されているか否かを判定することができる。入金処理直後なので、主制御部２１は、一時保留部Ａ（７），Ｂ（８）には紙幣が保留されていないと判定する（Ｓ４で「Ｎｏ」）。
【００４７】
次に、主制御部２１は、スタッカＣ（１２）を制御して、スタッカＣ（１２）から紙幣を繰り出す（Ｓ５）。それから、主制御部２１は、搬送路切替／監視部２２を制御して、スタッカＣ（１２）より繰り出された紙幣を第２識別部６へ搬送する。
【００４８】
第２識別部６は、スタッカＣ（１２）から搬送された紙幣の金種を判定し（Ｓ６，Ｓ８）、判定結果を主制御部２１へ伝達する。判定された紙幣の金種が例えば五千円券の場合（Ｓ６で「Ｙｅｓ」）、主制御部２１は、搬送路切替／監視部２２を制御して、その紙幣を一時保留部Ｂ（８）へ搬送する（Ｓ７）。また、判定された紙幣の金種が例えばニ千円券の場合（Ｓ８で「Ｙｅｓ」）、主制御部２１は、搬送路切替／監視部２２を制御して、その紙幣を一時保留部Ａ（７）へ搬送する（Ｓ９）。判定された紙幣の金種がニ千円券及び五千円券のいずれでもない場合（Ｓ８で「Ｎｏ」）、主制御部２１は、搬送路切替／監視部２２を制御して、その紙幣をリジェクトボックス４へ搬送する（Ｓ１０）。
【００４９】
主制御部２１は、スタッカＣ（１２）が空になるまで、または一時保留部Ａ（７），Ｂ（８）に紙幣が満タンになるまでＳ３−Ｓ１０の処理を繰り返す。主制御部２１は、スタッカＣ（１２）が空になったと判定した場合（Ｓ３で「Ｙｅｓ」）、または一時保留部Ａ（７），Ｂ（８）に紙幣が満タンになったと判定した場合（Ｓ４で「Ｙｅｓ」）、Ｓ３−Ｓ１０のループ処理を終了する。
【００５０】
ループ処理の終了後、主制御部２１は、搬送路切替／監視部２２を制御して、一時保留部Ａ（７）に保留させた全ての二千円券をスタッカＣに搬送する（Ｓ１１，Ｓ１２）。
一時保留部Ａ（７）に保留させた全ての二千円券をスタッカＣに搬送した後、主制御部２１は、搬送路切替／監視部２２を制御して、一時保留部Ｂ（８）に保留させた全ての五千円券をスタッカＣに搬送する（Ｓ１３，Ｓ１４）。
一時保留部Ｂ（８）に保留させた全ての五千円券がスタッカＣ（１２）に搬送されたら、本フローは終了する。
【００５１】
（実施例２）
実施例１では、二千円券と五千円券の混合層だけでなく、その下にある五千円券の単一層までスタッカＣ（１２）から繰り出して、二千円券と五千円券に振り分けた。それに対して、実施例２では、二千円券と五千円券の混合層だけをスタッカＣ（１２）から繰り出して、二千円券と五千円券に振り分け、スタッカＣ（１２）内において所定数の五千円券の層が最上層になるようにする。
【００５２】
図８は、本実施形態（実施例２）における紙幣種類別集積・積替え処理を説明するための図である。なお、入金収納完了時の状態は、図５（ii）と同様であるとする。
主制御部２１は、図８（iii −２）に示すように、上層にある、ニ千円と五千円券とが混合している層部分だけをスタッカＣ（１２）から繰り出して、一時保留部Ａ（７），Ｂ（８）に金種毎に振り分ける。具体的には、主制御部２１は、スタッカＣ（１２）を制御して、ニ千円と五千円券とが混合している紙幣を、スタッカＣ（１２）から繰り出し、搬送路切替／監視部２２を制御して、第２識別部６へ搬送する。なお、下層の五千円券の層については、スタッカＣ（１２）から繰り出さない。
【００５３】
第２識別部６は、スタッカＣ（１２）から繰り出された紙幣の金種を判定する。第２識別部６による判定の結果、金種が例えば二千円券の場合には、制御部２１は、図８（ｉｉｉ−２）に示すように、その紙幣を例えば一時保留部Ａ（７）へ振り分ける処理を行う。第２識別部６による判定の結果、金種が例えば五千円券の場合には、主制御部２１は、図８（iii −２）に示すように、その紙幣を例えば一時保留部Ｂ（８）へ振り分ける処理を行う。
【００５４】
一時保留部Ａ（７），Ｂ（８）への振り分け後、主制御部２１は、図８（iv−２）に示すように、その振り分けた紙幣を、二千円券、五千円の順でスタッカＣ（１２）に戻す処理を行う。これにより、スタッカＣ（１２）において、繰り出さなかった五千円券の層の上に、二千円券が集積され、その上に出金用の五千円券が集積される。
【００５５】
図９は、本実施形態（実施例２）における主制御部２１による混合スタッカについての種類別集積・積替え処理フローを示す。図９のフローは、図７Ａ及び図７Ｂのフローのうち、Ｓ３の処理をＳ２０に置き換えたものである。
【００５６】
実施例１で述べたように、投入された紙幣の入金額が確定すると、主制御部２１は、一時保留部Ａ（７），Ｂ（８），Ｃ（９）に保留されている紙幣を、各スタッカＡ（１０），Ｂ（１１），Ｃ（１２）に収納するように、各スタッカＡ（１０），Ｂ（１１），Ｃ（１２）の動作を制御する。これにより入金収納処理が完了する（Ｓ１で「Ｙｅｓ」）。
【００５７】
入金収納処理完了後、投入された紙幣に二千円券がない場合、本フローは終了する（Ｓ２で「Ｎｏ」、図７Ｂ参照）。投入された紙幣に二千円券がある場合（Ｓ２で「Ｙｅｓ」）、主制御部２１はスタッカＣ（１２）に、種類別集積・積替え処理がされないで、金種の異なる紙幣が混合している層がないか否かを判定する（Ｓ２０）。主制御部２１は、第１識別部５による判別結果から、スタッカＣ（１２）内に収納されている金種毎の紙幣枚数を計測しているので、主制御部２１は、その計測結果から種類別集積・積替え処理がされないで、金種の異なる紙幣が混合している層がないかを判定することができる。例えば、投入された紙幣に二千円券がある場合、入金収納処理毎にスタッカＣ（１２）に収納された紙幣からなる層を、種類別集積・積替え処理がされないで、金種の異なる紙幣が混合している層があると判断してもよい。また、投入された紙幣に二千円券がある場合、任意の時（例えば、ｎ回の入金収納処理につき１回の割合、ユーザが操作指示を行ったとき等）に、スタッカＣ（１２）に収納された紙幣からなる層を、種類別集積・積替え処理がされないで、金種の異なる紙幣が混合している層があると判断してもよい。
【００５８】
スタッカＣ（１２）内に金種の異なる紙幣が混合している層がある場合（Ｓ２０で「Ｎｏ」）、主制御部２１は、図７Ａで説明したのと同様に、Ｓ４−Ｓ１０の処理を行う。
主制御部２１は、スタッカＣ（１２）内において、種類別集積・積替えされていない、異なる金種が混合している層がなくなるまで、または一時保留部Ａ（７），Ｂ（８）に紙幣が満タンになるまでＳ３−Ｓ１０の処理を繰り返す。主制御部２１は、スタッカＣ（１２）内において、種類別集積・積替えされていない、異なる金種が混合している層がなくなったと判定した場合（Ｓ２０で「Ｙｅｓ」）、または一時保留部Ａ（７），Ｂ（８）に紙幣が満タンになったと判定した場合（Ｓ４で「Ｙｅｓ」）、Ｓ３−Ｓ１０のループ処理を終了する。
【００５９】
ループ処理の終了後、主制御部２１は、搬送路切替／監視部２２を制御して、一時保留部Ａ（７）に保留させた全ての二千円券をスタッカＣ（１２）に搬送する（Ｓ１１，Ｓ１２）。
【００６０】
一時保留部Ａ（７）に保留させた全ての二千円券をスタッカＣ（１２）に搬送した後、主制御部２１は、搬送路切替／監視部２２を制御して、一時保留部Ｂ（８）に保留させた全ての五千円券をスタッカＣ（１２）に搬送する（Ｓ１３，Ｓ１４）。
一時保留部Ｂ（８）に保留させた全ての五千円券がスタッカＣ（１２）に搬送されたら、本フローは終了する。
【００６１】
本実施形態によれば、二千円券と五千円券とを１つのスタッカで収納・管理できるので、装置の小型化及び部品点数の減少による製造コストの削減を図ることができる。また、二千円券と五千円券とを混合してスタッカ内に収納していても、二千円券と五千円券とを振り分けて、二千円券の層の上に五千円券の層が形成させるように、種類毎に紙幣を集積し、種類に応じた順でその積み替えを行う。これにより、五千円券の出金が短時間で容易に行えるので、入出金処理装置の五千円券の出金の性能を確保することができる。また、従来、五千円券を出金する際に、従来繰り出した二千円券はリジェクトとして扱われ、スタッカの容量を超えた場合に使用される紙幣カセットへ収納することにより、カセットの容量が不足し、本来カセットを使用するべき状況においてカセットを使用することができないという事態が生じていたが、本実施形態によればそのような事態を回避することができる。
【００６２】
なお、本実施形態では、二千円券と五千円券とを混合スタッカに収納し、それらを種類別に振り分けて、種類別に集積し、積み替えを行ったが、当該処理の対象は二千円券と五千円券に限定されない。すなわち、対象の金種は、紙幣の流通量に応じて任意に選択することができる。
【００６３】
上記のように、紙幣処理装置は、入金口、第１識別部、第１収納部、複数の第２収納部、複数の一時保留部、第２識別部、制御部を備える。
入金口には、紙幣が投入される。入金口は、例えば本実施形態で言えば、入金口２に相当する。
【００６４】
第１識別部は、前記投入された紙幣の種類を識別する。第１識別部は、例えば本実施形態で言えば、第１識別部５に相当する。
第１収納部は、前記第１識別部による識別結果に基づいて、少なくとも２種類の紙幣を収納すると共に、収納した紙幣を出力する。第１収納部は、例えば本実施形態で言えば、スタッカＣ（１２）に相当する。
【００６５】
第２収納部は、前記第１識別部による識別結果に基づいて、前記第１収納部に収納した紙幣の種類以外の種類の紙幣を種類に応じて収納すると共に、収納した紙幣を出力する。複数の第２収納部は、例えば本実施形態で言えば、スタッカＡ（１０）、スタッカＢ（１１）に相当する。
【００６６】
一時保留部は、前記第１及び第２収納部の前段にあって、前記第１識別部により識別された紙幣を一時的に保留する、該第１及び第２収納部のそれぞれに対応する。一時保留部は、例えば本実施形態で言えば、一時保留部Ａ（７）、一時保留部Ｂ（８）、一時保留部Ｃ（９）に相当する。
【００６７】
第２識別部は、前記第１収納部から出力された紙幣のそれぞれの種類を識別する。また、前記第２識別部は、前記第１識別部により行われる識別の内、金種を特定する１つ以上の識別を行うことができる。第２識別部は、例えば本実施形態で言えば、第２識別部に相当する。
【００６８】
制御部は、前記第２識別部により識別された紙幣を種類別に、前記第２収納部に対応する各前記一時保留部へ振り分け、該振り分けた紙幣を、種類に応じた順で、種類毎に前記第１収納部へ収納させる制御を行うことにより、種類別集積・積替え処理を行う。主制御部は、例えば本実施形態で言えば、主制御部２１に相当する。
【００６９】
このように構成することにより、装置の小型化及び低コスト化を図ることができると共に、所定の種類の紙幣の入金枚数がスタッカの容量を超えた場合に使用されるカセットの容量が不足する事態を回避することができる。
【００７０】
前記第１収納部は、該第１収納部に収納された全ての紙幣を前記第２識別部へ出力する。このように構成することにより、前記第１収納部に収納された全ての紙幣を種類毎に集積し、種類に応じて積替えを行うことができる。
【００７１】
前記第１収納部は、種類別集積・積替え処理がされないで該第１収納部に収納された紙幣を前記第２識別部へ出力する。このように構成することにより、例えば、一時保留部の許容収納数以上の紙幣が第１収納部に収納されている場合であって、既に種類別集積・積替え処理がなされた紙幣の上に収納された、種類別集積・積替え処理がなされていない紙幣を対象にして種類別集積・積替え処理を行うことができる。
【００７２】
前記第１収納部は、例えば二千円券と五千円券を収納する。このとき、前記制御部は、前記第２識別部による識別結果、前記紙幣が二千円券と識別された場合、第１の一時保留部へ該紙幣を振り分け、前記紙幣が五千円券と識別された場合、第２の一時保留部へ該紙幣を振り分け、該二千円券として振り分けた紙幣を前記第１の一時保留部から前記第１収納部へ収納した後に、該五千円券として振り分けた紙幣を前記第２の一時保留部から前記第１収納部へ収納する。
【００７３】
このように構成することにより、二千円券の層の上に五千円券の層が積替えされるので五千円券の出金が短時間で容易に行え、紙幣処理装置の五千円券の出金の性能を確保することができる。
【００７４】
なお、本発明は、以上に述べた実施の形態に限定されるものではなく、本発明の要旨を逸脱しない範囲内で種々の構成または実施形態を取ることができる。
【符号の説明】
【００７５】
１      入出金処理装置
２      入金口
３      出金口
４      リジェクトボックス
５      第１識別部
６      第２識別部
７      一時保留部Ａ
８      一時保留部Ｂ
９      一時保留部Ｃ
１０    スタッカＡ
１１    スタッカＢ
１２    スタッカＣ
１３    カセット
１４    搬送路
２１    主制御部
２２    搬送路切替／監視部
２３    通信部
２４    表示／入力部
２５    バス
【図１】
0005475875.tif 000002
【図２】
0005475875.tif 000003
【図３】
0005475875.tif 000004
【図４】
0005475875.tif 000005
【図５】
0005475875.tif 000006
【図６】
0005475875.tif 000007
【図７Ａ】
0005475875.tif 000008
【図７Ｂ】
0005475875.tif 000009
【図８】
0005475875.tif 000010
【図９】
0005475875.tif 000011